(57)【特許請求の範囲】
【請求項１】
情報提供サイトに配置される交換機と、
前記情報提供サイト内のセンタに配置され前記交換機と接続されるサーバと、
前記情報提供サイト内のセンタに配置され前記サーバと接続される管理データベースと、
前記サーバおよび前記交換機を介して前記管理データベースとの間でデータの送受信を行う複数の通信端末とが、ネットワークを介して接続される指定時間電話接続システムであって、
発信者通信端末は、予め事前に通話相手と約束済みの指定時刻になると電話呼出しを行う指定電話呼出時刻情報と、通話相手先の着信者通信端末の電話番号情報と、所定のメッセージとから構成される指定時刻通知データを前記ネットワークを介して前記交換機に送出する手段を備え、
前記発信者通信端末および前記着信者通信端末は、前記ネットワークを介して前記交換機から呼び出されて応答したときに、前記ネットワークおよび前記交換機を介して前記サーバから送出される指定時間送受信画面情報に基づき、自通信端末のディスプレイに前記指定時間送受信画面を表示する手段と、
前記指定時間送受信画面上でＯＫボタンが選択された場合に、相手方の通信端末と通話が可能であることを意味する通信可能情報を、前記ネットワークを介して前記交換機に送出する手段と、
前記指定時間送受信画面上でＮＧボタンが選択された場合に、前記指定時間送受信画面上から入力される呼出変更時刻およびメッセージに基づき、指定時刻変更通知データを生成して前記交換機に送出する手段とを備え、
前記交換機は、前記受信した指定時刻通知データを前記サーバに送出する手段と、
前記サーバから受信した呼出を行う発信者通信端末と着信者通信端末との電話番号情報に基づき、前記ネットワークを介して前記発信者通信端末および前記着信者通信端末の両通信端末を呼び出す手段と、
前記通信可能情報を受信した場合に、両通信端末間の通話パスを設定する手段と、
前記指定時刻変更通知データを受信した場合に、相手方の通信端末に対して音声による応答不可メッセージを前記ネットワークを介して送出すると共に前記指定時刻変更通知データを前記サーバに送信する手段とを備え、
前記サーバは、前記交換機から受信した前記指定時刻通知データと前記指定時刻変更通知データとを前記管理データベースに登録する手段と、
前記管理データベースを検索し、前記指定時刻通知データ中の指定電話呼出時刻情報で指定された時刻と、現在の時刻との一致を検出すると、前記電話呼出しを行う発信者通信端末と着信者通信端末との電話番号情報を読み出し、当該読み出した前記呼出しを行う発信者通信端末と着信者通信端末との電話番号情報を、指定時間送受信画面情報を付加して前記交換機に送出する手段とを備えることを特徴とする指定時間電話接続システム。
【請求項２】
情報提供サイトに配置される交換機と、
前記情報提供サイト内のセンタに配置され前記交換機と接続されるサーバと、
前記情報提供サイト内のセンタに配置され前記サーバと接続される管理データベースと、
前記サーバおよび前記交換機を介して前記管理データベースとの間でデータの送受信を行う複数の通信端末とが、ネットワークを介して接続される指定時間電話接続システムにおける指定時間電話方法であって、
前記発信者通信端末が、予め事前に通話相手と約束済みの指定時刻になると電話呼出しを行うサービスを前記管理データベースヘ登録するために、前記ネットワークと前記交換機を介して前記サーバにサーバアクセス情報を送出する第１のステップと、
前記サーバが、前記受信したサーバアクセス情報に基づき、前記ネットワークと前記交換機を介して、前記発信者通信端末に対して、指定時間電話登録画面情報を送出する第２のステップと、
前記発信者通信端末が、前記受信した指定時間電話登録画面情報に基づき、自通信端末のディスプレイに前記指定時間電話登録画面を表示し、前記指定時間電話登録画面上の指定欄に入力された電話呼び出しの指定時刻である指定電話呼出時刻、及び通話相手先の着信者通信端末の電話番号、並びにメッセージに基づき指定時刻通知データを生成し、当該指定時刻通知データを前記ネットワークと前記交換機を介して前記サーバヘ送出する第３のステップと、
前記サーバが、前記受信した前記指定時刻通知データを前記管理データベースに格納する第４のステップと、
前記サーバが、前記管理データベースを検索し、前記指定時刻通知データ中の前記指定電話呼出時刻情報で指定された時刻と、現在の時刻との一致を検出すると、前記電話呼出しを行う発信者通信端末と着信者通信端末との両通信端末の電話番号情報と、前記メッセージを前記管理データベースから読み出し、当該読み出した両通信端末の電話番号情報と、前記メッセージとを組み入れた指定時間送受信画面情報を生成し、当該指定時間送受信画面情報と、前記交換機より呼び出す両通信端末の電話番号情報とを前記交換機に送出する第５のステップと、
前記交換機が、前記受信した両通信端末の電話番号情報に基づき、前記発信者通信端末と前記着信者通信端末とを、前記サーバから入手した前記指定時間送受信画面情報を添付して前記ネットワークを介して呼び出す第６のステップと、
前記発信者通信端末および前記着信者通信端末が、前記呼び出しに応答し、前記受信した前記指定時間送受信画面情報に基づき、自通信端末のディスプレイに前記指定時間送受信画面を表示する第７のステップと、
前記発信者通信端末および前記着信者通信端末が、前記指定時間送受信画面上でＯＫボタンが選択された場合に、相手方の通信端末と通話が可能であることを意味する通信可能情報を前記交換機に送出する第８のステップと、
前記交換機が、前記受信した通信可能情報に基づき、両通信端末間の通話パスを設定する第９のステップと、
前記両通信端末が前記交換機を介して通話する第１０のステップと、
前記発信者通信端末あるいは前記着信者通信端末が、前記第７ステップで表示した前記指定時間送受信画面上でＮＧボタンが選択された場合に、前記指定時間送受信画面から入力される呼出変更時刻およびメッセージに基づき指定時刻変更通知データを生成し、前記ネットワークを介して前記交換機へ送出する第１１のステップと、
前記交換機が、前記受信した指定時刻変更通知データに基づき、前記指定時間送受信画面上でＯＫボタンが選択された相手方の通信端末に対して、音声による不応答メッセージを送出すると共に前記指定時刻変更通知データを前記サーバヘ送信する第１２のステップと、
前記サーバが、前記受信した指定時刻変更通知データを、前記管理データベースに登録する第１３のステップとを備えることを特徴とする指定時間電話接続方法。
【請求項３】
前記指定時刻変更通知データを送出した通信端末が、事後に相手方の通信端末に対してメールで変更情報を通知することを特徴とする請求項２に記載の指定時間電話接続方法。
【発明の詳細な説明】
【０００１】
【発明の属する技術分野】
本発明は、指定時間電話接続方法、および指定時間電話接続システムに係わり、特に、予め指定された時刻になると、発信通信端末と着信者通信端末とを呼び出して、両通信端末同士を通話可能とする指定時間電話接続システムに関する。
【０００２】
【従来の技術】
従来、携帯電話使用者が自ら設定した時刻に、予め登録しておいたメッセージの通知が可能であることは知られており、携帯機から最寄り基地局に対し予めメッセージ、および、その通知指定時刻を登録しておくと、携帯機と基地局とでそれぞれ現在時刻がメッセージ通知指定時刻になったかどうかを判定し、メッセージ通知指定時刻になると、メッセージを登録した基地局から直接、または他基地局を経由して、携帯機へ着信があり、登録したメッセージを聴くことが、持開平１０−１６４２２８号公報「音声メッセージ通知機能付きデジタル携帯電話システム及びその移動機」に開示されている。
また、通信機器へ予めメッセージを登録しておき、留守をしたときに電話をかけた人へ前記メッセージを送出する留守番メッセージサービスや、予め登録した時刻になると登録した通信端末機器へ指定時刻を通知するモーニングコールサービス等は一般に普及されている。
【０００３】
【発明が解決しようとする課題】
しかしながら、従来技術において、携帯機から登録する指定時刻のメッセージ通知は、登録本人への重要要件やイベントを忘れないようにするための通知であり、予めメール等で当事者本人から通話相手（例えば、お客様）先ヘアポイントして約束している指定時刻を忘れないようにするために、指定時刻になると当事者と通話相手先との両方の携帯機へ通知されるものではない。
また、留守番メッセージサービスでは、通話相手先が電話をかけて登録されているメッセージを聞かなければ用件が伝わらず、モーニングコールサービスでは、相手方の生の声が聞かれず機械音のように形式的で感情が伝わってこない。
【０００４】
本発明は、前記従来技術の問題点を解決するためになされたものであり、本発明の目的は、発信者通信端末から、発信者通信端末と着信者通信端末との間の通話開始時刻を、予めセンタの管理データベースに登録しておき、前記予め指定された時刻になると、発信通信端末と着信者通信端末とを呼び出して、両通信端末同士を通話可能とする指定時間電話接続方法、および指定時間電話接続システムを提供することにある。
本発明の前記ならびにその他の目的と新規な特徴は、本明細書の記述及び添付図面によって明らかにする。
【０００５】
【課題を解決するための手段】
本願において開示される発明のうち、代表的なものの概要を簡単に説明すれば、下記の通りである。
即ち、本発明は、情報提供サイトに配置される交換機と、前記情報提供サイト内のセンタに配置され前記交換機と接続されるサーバと、前記情報提供サイト内のセンタに配置され前記サーバと接続される管理データベースと、前記サーバおよび前記交換機を介して前記管理データベースとの間でデータの送受信を行う複数の通信端末とが、ネットワークを介して接続される指定時間電話接続システムにおいて、前記発信者通信端末が、例えば、メールなどにより予め事前に通話相手と約束済みの指定時刻になると電話呼出しを行うサービスを前記管理データベースヘ登録するために、前記ネットワークと前記交換機を介して前記サーバにサーバアクセス情報を送出し、前記サーバが、前記受信したサーバアクセス情報に基づき、前記ネットワークと前記交換機を介して、前記発信者通信端末に対して、指定時間電話登録画面情報を送出し、前記発信者通信端末が、前記受信した指定時間電話登録画面情報に基づき、自通信端末のディスプレイに前記指定時間電話登録画面を表示し、前記指定時間電話登録画面上の指定欄に入力された電話呼び出しの指定時刻である指定電話呼出時刻、及び通話相手先の着信者通信端末の電話番号、並びにメッセージに基づき指定時刻通知データを生成し、当該指定時刻通知データを前記ネットワークと前記交換機を介して前記サーバヘ送出し、前記サーバが、前記受信した前記指定時刻通知データを前記管理データベースに格納すると共に、前記管理データベースを検索し、前記指定時刻通知データ中の前記指定電話呼出時刻で指定された時刻と、現在の時刻との一致を検出すると、前記電話呼出しを行う発信者通信端末と着信者通信端末との両通信端末の電話番号情報と、前記メッセージとを前記管理データベースから読み出し、当該読み出した両通信端末の電話番号情報と、前記メッセージとを組み入れた指定時間送受信画面情報を生成し、当該指定時間送受信画面情報と、前記交換機より呼び出す両通信端末の電話番号情報とを前記交換機に送出し、前記交換機が、前記受信した両通信端末の電話番号情報に基づき、前記発信者通信端末と前記着信者通信端末とを、前記サーバから入手した前記指定時間送受信画面情報を添付して前記ネットワークを介して呼び出し、前記発信者通信端末および前記着信者通信端末が、前記呼び出しに応答し、前記受信した前記指定時間送受信画面情報に基づき、自通信端末のディスプレイに前記指定時間送受信画面を表示し、前記指定時間送受信画面上でＯＫボタンが選択された場合に、相手方の通信端末と通話が可能であることを意味する通信可能情報を前記交換機に送出し、前記交換機が、前記受信した通信可能情報に基づき、両通信端末間の通話パスを設定し、前記両通信端末が前記交換機を介して通話することを特徴とする。
【０００６】
また、本発明は、前記発信者通信端末あるいは前記着信者通信端末が、ディスプレイに表示した前記指定時間送受信画面上でＮＧボタンが選択された場合に、前記指定時間送受信画面から入力される呼出変更時刻およびメッセージに基づき指定時刻変更通知データを生成し、前記ネットワークを介して前記交換機へ送出し、前記交換機が、前記受信した指定時刻変更通知データに基づき、前記指定時間送受信画面上でＯＫボタンが選択された相手方の通信端末に対して、音声による不応答メッセージを送出すると共に、前記指定時刻変更通知データを前記サーバヘ送信し、前記サーバが、前記受信した指定時刻変更通知データを、前記管理データベースに登録することを特徴とする。
また、本発明では、前記指定時刻変更通知データを送出した通信端末が、事後に相手方の通信端末に対してメールで変更情報を通知する。
また、本発明は、前記指定時刻通知データが、複数の着信者通信端末の電話番号情報や複数の指定電話時刻情報を指定するスケジュール化ができることを特徴とする。
本発明によれば、発信者通信端末が、管理データベースヘ呼び出し日時と、呼び出して通話する着信者通信端末の電話番号とを登録しておき、現在の時刻が、管理データベースに登録されている時刻になったときに、発信通信端末と着信者通信端末をほぼ同時に呼び出して両通信端末間での通話が可能となる。
【０００７】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
図１は、本発明の実施の形態のアポイント機能付き指定時間電話接続システムの概略構成を示すブロック図である。
図１において、情報提供サイト３には、センタ３０と交換機３１とが配置されセンタ３０には、サーバ３０２と、サーバ３０２と接続される管理データベース３０１とが配置される。
管理データベース３０１は、センタ３０の保有するサービスが利用できるように、予め認証／登録された加入者の加入者データと、予め認証／登録された発信者携帯端末１から送信される、後述する指定時刻に呼び出されて通話を行うための指定電話呼出時刻情報、および通話相手である着信者携帯端末２の電話番号情報とを含む指定時刻通知データとを蓄積し、管理する。
交換機３１と接続されるサーバ３０２は、外部からの処理要求により、管理データベース３０１への検索処理を行う。
ネットワーク５と接続される交換機３１は、外部との音声処理や情報処理などを行なう。
【０００８】
発信者携帯端末（発信者通信端末）１を保有するサービス利用者は、サービス会社４との間で、センタ３０が保有するサービスを利用するために、加入者契約を行う。
サービス会社４は、通信端末４１よりネットワーク５を介してセンタ３０の管理データベース３０１に対して、発信者携帯端末１の加入者登録を行う。
また、ネットワーク５は、発信者携帯端末１や着信者携帯端末２が収容される携帯電話網や、サービス会社４の通信端末４１や情報提供サイト３の交換機３１が通信するＩＰ網から構成されるが、図１では、特に区別して図示していない。
図２は、本発明の実施の形態のアポイント機能付き指定時間電話接続方法を説明するための図である。
図２において、サービス利用者は、発信者携帯端末１より、予めサービス会社４へ、情報提供サイト３内のセンタ３０が保有するサービス利用の加入者契約を行う。
サービス会社４は、通信端末４１よりセンタ３０ヘアクセスし、センタ３０の管理データベース３０１に対して、サービス利用が可能となる発信者携帯端末１の加入者データ登録をする。これにより、管理データベース３０１へ、発信者携帯端末１が認証／登録される。
【０００９】
加入者登録された発信者携帯端末１は、予め事前に通話相手（例えば、お客様）と約束して指定した時刻になると、自分の携帯端末と、通話相手の携帯端末の両携帯端末が呼び出されるサービス（以下、電話呼出サービスという。）を受けるために、センタ３０ヘアクセスし、サーバ３０２より情報提供サイト内の交換機３１を介して送出される指定時間電話登録画面をネットワーク５より入手し、指定時間電話登録画面上で、指定電話呼出時刻と、着信者携帯端末２の電話番号と、簡単なメッセージから成る所定のメッセージとがそれぞれの指定する所へ入力されると、それらの情報を管理データベース３０１へ送付し登録する。
サーバ３０２は、管理データベース３０１を検索し、現在の時刻と、管理データベース３０１に登録されている指定電話呼出時刻情報で指定される時刻との一致を検出すると、発信者携帯端末１と着信者携帯端末２との両携帯端末の電話番号情報を交換機３１へ送出し、交換機３１からネットワーク５を介して、両携帯端末が呼び出されて通話が可能となる。
呼び出される発信者携帯端末１と着信者携帯端末２の両携帯端末は、事前にメールで約束し指定されている通話時刻であって、忘れないでお客様との商談等ができる。
【００１０】
前述のサービスの順序をまとめると、図中の▲１▼〜▲６▼に示すように、以下の通りの流れによって指定する時間での通話が可能となる。
▲１▼センタ３０のサービスを利用する発信者は、サービス会社４へ加入者契約をする。
▲２▼サービス会社４は、サービス利用者の携帯電話番号や氏名などをセンタ３０の管理データベース３０１へ加入者登録する。
▲３▼管理データベース３０１は、サービス会社４からの加入者登録を加入者データとして認証／登録する。
▲４▼サービス利用が登録された加入者は、自分の発信者携帯端末１よりセンタ３０ヘアクセスしてサーバ３０２より指定時間電話登録画面を入手し、入手した指定時間電話画面から、お客様との約束している指定時刻である指定電話呼出時刻とお客様の着信者携帯端末の電話番号と簡単なメッセージとを入力し、それらの情報を管理データベース３０１へ送付し登録する。
▲５▼サーバ３０２は、管理データベース３１を検索し、登録されている指定時間電話呼出時刻と、現在の時刻との一致を検出すると、発信者携帯端末１と着信者携帯端末２の両端末の電話番号情報を交換機３１に送出し、交換機３１からネットワーク５を介して両携帯端末が呼び出される。
▲６▼呼び出された発信者携帯端末１と着信者携帯端末２とは、お互いに応答した時に、交換機３１にて通話パスをはり、商談などの通話ができる。
【００１１】
図３は、発信者携帯端末１がセンタ３０ヘアクセスして、センタ３０のサーバ３０２より入手する、指定時刻に通話が可能となる呼出時刻と着信者の電話番号を登録する指定時間電話登録画面の一例を示す図である。
図３において、指定時間電話登録画面６には、センタ３０のシステムの現在時刻６６と、呼出時刻の設定欄６１と、着信電話番号の設定欄６２と、メッセージの設定欄６３と、決定ボタン６４と、キャンセルボタン６５と、複数登録ボタン６７とが設定される。
呼出時刻の設定欄６１には、日時がくると自動的に両方の携帯端末が呼び出されて、通話相手（例えば、お客様）と予めメール等でアポイントされている商談等の通話をする年、月、日、時、分を設定し、着信電話番号の設定欄６２には、通話相手の電話番号を設定し、メッセージの設定欄６３には、通話相手との簡単な商談件名等を設定する。
これらの設定をした後、決定ボタン６４を選択すると、画面上の設定情報がセンタ３０の管理データベース３０１へ送付されて登録される。
もし、設定中にミスをした時には、キャンセルボタン６５を選択すると画面上の設定を最初からやり直しが可能となる。
ここで、指定時間電話登録画面６の着信電話番号の設定欄６２に、着信者携帯端末２である着信電話番号を設定するにあたって、設定する発信者携帯端末１が、着信者携帯端末２から電話があり、着信者携帯端末２の電話番号を予め発信者携帯端末１でメモリしているときには、メモリより着信者携帯端末２の電話番号情報を取り出して、着信電話番号の設定欄６２に設定することも可能である。
【００１２】
この図３に示す登録画面において、複数登録ボタン６７を選択したときには、図４に示す複数指定時間／電話登録画面が、センタ３０のサーバ３０２から送信される。
この図４に示す複数指定時間／電話登録画面８は、発信者携帯端末１が、指定時刻に電話呼出サービスを受けるためのセンタ３０への登録を、複数の着信電話番号に対する呼出時刻と簡単なメッセージを設定したり、同じ着信番号に対して複数の異なる呼び出し時刻を設定して送付するものである。
図４に示す複数指定時間／電話登録画面には、センタ３０のシステムの現在時刻８７と、複数の呼出時刻の設定欄８１と、複数の着信電話番号の設定欄８２と、複数のメッセージの設定欄８３と、決定ボタン８４と、キャンセルボタン８５と、次ページボタン８６とが設けられる。
なお、図４に示す複数指定時間／電話登録画面において、呼出時刻の設定欄８１、着信電話番号の設定欄８２、およびメッセージの設定欄８３は、複数になってはいるが、その設定方法は、前述の図３と同じであり、同様に、決定ボタン８４、キャンセルボタン８５も、前述の図３と同じであるので詳細な説明は省略する。
しかしながら、画面上への設定数をさらに多くしたいときには、次ページボタン８６を選択すると、同一画面がセンタ３０から送付されて複数ページヘの設定が可能となる。
【００１３】
サーバ３０２は、管理データベース３０１に登録されている指定時刻通知データを常時検索し、計時する現在時刻と、指定時刻通知データ中の指定電話呼出時刻情報で指定される時刻との一致を検出すると、管理データベース３０１に登録されている発信者携帯端末１と着信者携帯端末２との両携帯端末の電話番号情報を、交換機３０１に送出し、交換機３０１からネットワーク５を介して発信者携帯端末１および着信者携帯端末２の両携帯端末が呼び出される。
この呼出に応答すると、図５に示す指定時間送受信画面７が両携帯端末へ表示される。
図５において、指定時間送受信画面７は、システムの現在時刻７９と、発信電話番号の欄７１と、氏名の欄７２と、着信電話番号の欄７３と、メッセージ欄７４と、呼出変更時刻の欄７５と、ＯＫボタン７６と、ＮＧボタン７７と、送信ボタン７８とが設定される。
発信電話番号の欄７１には、お客様との商談等で呼出時刻を登録したセンタ３０のサービス利用者（お客様と商談する当事者）の電話番号が表示され、氏名の欄７２には、センタ３０のサービス利用者が表示され、着信電話番号の欄７３には、通話相手（お客様）の電話番号が表示される。
【００１４】
両携帯端末の利用者が、この指定時間送受信画面７上で、ＯＫボタン７６を選択すると、両携帯端末同士が前記交換機３１を介して通話することができる。
ここで、発信者携帯端末１と着信者携帯端末２との両携帯端末が自動的に呼び出されて通話ができる呼び出し日時は、予め両携帯端末同志がメール機能等によりアポイントしている確定した時刻であり、お客様と事前に約束した商談等の日時を忘れることがない。
なお、呼び出される携帯端末（発信者携帯端末１と着信者携帯端末２との少なくとも一方）で都合が悪くなり応答できない場合には、当該携帯端末の利用者が、指定時間送受信画面７上でＮＧボタン７７を選択して、呼出変更時刻の欄７５に、都合の良い呼出時刻と、メッセージ欄７４に、簡単なメッセージとを設定した後に、送信ボタン７８を選択すると、他方の携帯端末へは音声による不応答メッセージが送出され、呼出変更時刻および前記メッセージは前記管理データベース３１へ再登録される。
また、呼び出し時に都合が悪く、呼出変更時刻７５を設定した携帯端末は、事後にメール機能等により相手携帯端末へ日時の変更通知を行い約束を確定する。
【００１５】
図６、図７は、本実施の形態のアポイント機能付き指定時間電話接続システムにおける、情報の流れを説明するためのフローチャートである。
以下、図６、図７に示すフローチャートに基づき、本実施の形態の情報の流れを説明する。
本実施の形態では、予め、発信者携帯端末１を保有する利用者が、サービス会社４に対して、センタ３０が保有するサービスを利用するための登録をなし、発信者携帯端末１が管理データベース３０１に認証／登録される（ステップＳ１６、ステップＳ１７）。
次に、発信者携帯端末１が、予めメール等でアポイントした指定の時刻になると複数の電話呼出しを受けるための電話呼出サービスを管理データベース３０１ヘ登録するために、ネットワーク５を介して、交換機３１ヘサーバアクセス情報を送出する（ステップＳｌ）。
交換機３１は、ネットワーク５から受信した前記サーバアクセス情報の処理を、サーバ３０２ヘ依頼する（ステップＳ２）。
サーバ３０２は、前記交換機３１から受信したサーバアクセス情報により、指定時刻に複数の電話呼び出しサービスを受けるための情報を入力するための指定時間電話登録画面情報を、交換機３１へ返送する（ステップＳ３）。
交換機３１は、入手した指定時間電話登録画面情報を、ネットワーク５を介して発信者携帯端末１へ送出する（ステップＳ４）。
【００１６】
発信者携帯端末１は、サーバ３０２から受信した指定時間電話登録画面情報に基づき、携帯端末のディスプレイに指定時間電話登録画面６を表示し、発信者携帯端末１を保有する利用者が、表示された指定時間電話登録画面上の指定欄に入力した、電話呼び出しの指定時刻である指定電話呼出時刻、及び電話呼出しの相手先である着信者携帯端末２の電話番号、並びに簡単なメッセージに基づき指定時刻通知データ設定情報を生成し、当該指定時刻通知データ設定情報を前記ネットワーク５を介して前記交換機３１へ送出する（ステップＳ５）。
交換機３１は、ネットワーク５から受信した前記指定時刻通知データ設定情報の処理を、サーバ３０２ヘ依頼する（ステップＳ６）。
サーバ３０２は、交換機３１から受信した前記指定時刻通知データ設定情報を管理データベース３０１ヘ認証／登録処理を依頼する（ステップＳ７）。
管理データベース３０１は、サーバ３０２から受信した前記指定時刻通知データ設定情報を登録して保持する（ステップＳ８）。
サーバ３０２は、常時管理データベース３０１を検索し、システムが計時する現在の時刻と、指定時刻通知データ中の指定電話呼出時刻情報で指定された時刻との一致を検出すると、管理データベース３０１に登録され保持している発信者携帯端末１と着信者携帯端末２との両携帯端末の電話番号情報と、メッセージを読み出し、両携帯端末の電話番号とメッセージを組み入れた指定時間送受信画面情報を生成し、当該指定時間送受信画面情報と、交換機３１より呼び出す両携帯端末の電話番号情報を、交換機３１へ送出する（ステップＳ９）。
【００１７】
交換機３１は、両携帯端末の電話番号により、発信者携帯端末１と着信者携帯端末２とをネットワーク５を介して呼び出す（ステップＳ１０）。
この場合に、交換機３１は、発信者携帯端末１および着信者携帯端末２の一方の携帯端末が応答しても、他方の携帯端末が応答するまで呼び出しを続ける。
発信者携帯端末１が応答すると、交換機３１から受信した指定時間送受信画面情報に基づき、発信者携帯端末１のディスプレイに指定時間送受信画面７を表示し、発信者携帯端末１の利用者が、指定時間送受信画面上で、通話相手との通話が可能となるＯＫボタンを選択する（ステップＳｌ１）。
着信者携帯端末２が応答すると、交換機３１から受信した指定時間送受信画面情報に基づき、着信者携帯端末２のディスプレイに指定時間送受信画面７を表示し、着信者携帯端末２の利用者が、指定時間送受信画面上で、通話相手と通話が可能となるＯＫボタンを選択する（ステップＳ１２）。
交換機３１は、ネットワーク５を介して受信する発信者携帯端末１と着信者携帯端末２の両携帯端末からのＯＫボタンによる通話可能情報を入手し、両携帯端末の通話パスを設定する（ステップＳ１３）。
これにより、両携帯端末は、交換機３１を介して通話することが可能となる（ステップＳ１４、ステップＳ１５）。
【００１８】
また、発信者携帯端末１の利用者が、通話が可能となるＯＫボタンを選択し（ステップＳ１８）、着信者携帯端末２の利用者のみが、交換機３１よりネットワーク５を介して呼び出されて応答し、交換機３１から受信した指定時間送受信画面情報に基づいて、着信者携帯端末２のディスプレイ上に表示された指定時間送受信画面上で、都合が悪くなり相手と通話ができない場合であるＮＧボタンを選択し、都合の良い呼出変更時刻と簡単なメッセージとを入力し、送信ボタンを選択すると、着信者携帯端末２が、呼出変更時刻および簡単なメッセージに基づき指定時間送受信画面変更情報（指定時刻変更通知データ）を生成し、当該指定時間送受信画面変更情報を、ネットワーク５を介して交換機３１へ送出する（ステップＳ１９）。
この場合に、交換機３１は、発信者携帯端末１へは音声による不応答メッセージを送出する（ステップＳ２１）と共に指定時間送受信画面変更情報の処理をサーバ３０２ヘ依頼する（ステップＳ２０）。
サーバ３０２は、交換機３１から受信した指定時間送受信画面変更情報の認証／登録処理を、管理データベース３０１ヘ依頼する（ステップＳ２２）。
管理データベース３０１は、サーバ３０２から受信した前記指定時間送受信画面変更情報を登録して保持する（ステップＳ２３）。
【００１９】
なお、前述の説明において、サーバ３０２の処理手順は、コンピュータ内のハードディスクなどに格納されるプログラムを、サーバ３０２が実行することにより行われる。このプログラムは、ＣＤ−ＲＯＭ、あるいは、ネットワークを介したダウンロードにより供給される。
本発明によれば、予め、通話相手（例えば、お客様）とメール等で後日に商談のお電話をします旨のアポイントをしている指定日時と、通話相手の電話番号とを、センタ３０の管理データベース３０１ヘ登録すると、約束した指定の時刻に自身の携帯端末と、通話相手の携帯端末との両携帯端末が自動的に呼び出されて商談等の通話が可能となり、指定した商談日時を忘れることが無くなり、肉声による商談等の通話のためにきめ細かな感情も伝わり、血の通った通話が可能となる。
また、複数の着信電話番号への呼出時刻の設定や同一着信電話番号に対して複数の呼出時刻設定によるスケジュール化した日時を登録することで、前者では商談に関連する複数のお客様と迅速な通話ができ、後者では定期的に特定した携帯端末同士が呼び出されて通話が可能となり、例えば、長期出張者が指定時刻の呼び出し登録をすると定期的に家族との通話ができて、安心して仕事ができる。
このように約束した指定時刻に間違いなく通話することができるのでうっかりした忘れが完全に解消される。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００２０】
【発明の効果】
本願において開示される発明のうち代表的なものによって得られる効果を簡単に説明すれば、下記の通りである。
本発明によれば、予め、通話相手と約束した指定の時刻に、自身の携帯端末と通話相手の携帯端末との両携帯端末が自動的に呼び出されて、約束した指定時刻に、通話相手と間違いなく通話することができるので、うっかりした忘れを完全に解消することが可能となる。
【図面の簡単な説明】
【図１】本発明の実施の形態のアポイント機能付き指定時間電話接続システムの概略構成を示すブロック図である。
【図２】本発明の実施の形態のアポイント機能付き指定時間電話接続方法を説明するための図である。
【図３】発信者携帯端末が、通話を開始する呼出時刻と、着信者の電話番号を登録する指定時間電話登録画面の一例を示す図である。
【図４】図３に示す指定時間電話登録画面において、複数登録ボタンを選択したときに表示される複数指定時間／電話登録画面の一例を示す図である。
【図５】指定時刻に呼び出される電話に応答したときに表示される指定時間送受信画面の一例を示す図である。
【図６】本発明の実施の形態のアポイント機能付き指定時間電話接続システムにおける、情報の流れを説明するためのフローチャートである。
【図７】本発明の実施の形態のアポイント機能付き指定時間電話接続システムにおける、情報の流れを説明するためのフローチャートである。
【符号の説明】
１…発信者携帯端末、２…着信者携帯端末、３…情報提供サイト、４…サービス会社、５…ネットワーク、６…指定時間電話登録画面、７…指定時間送受信画面、８…複数指定時間／電話登録画面、３０…センタ、３１…交換機、４１…通信端末、６１，８１…呼出時刻欄、６２，７３，８２…着信電話番号欄、６３，７４，８３…メッセージ欄、６４，８４…決定ボタン、６５，８５…キャンセルボタン、６６，７９，８７…現在時刻、６７…複数登録ボタン、７１…発信電話番号欄、７２…氏名欄、７５…呼出変更時刻欄、７６…ＯＫボタン、７７…ＮＧボタン、７８…送信ボタン、８６…次ページボタン、３０１…管理データベース、３０２…サーバ。
【図１】
0003902742.tif 000002
【図２】
0003902742.tif 000003
【図３】
0003902742.tif 000004
【図４】
0003902742.tif 000005
【図５】
0003902742.tif 000006
【図６】
0003902742.tif 000007
【図７】
0003902742.tif 000008